【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
（Ｎ−ｋ）次元投影超平面又は部分空間において（Ｎ−ｋ，ｋ≧１及びｋ＝Ｎ−２，Ｎ＝３又は４）次元投影画像を形成するコンピュータ実装型断層画像処理方法を実行するようにプログラムされた少なくとも１つのプロセッサを含むマンモグラフィ撮像システムであって、前記方法は：
ｉ）撮像システムによって取得された個々のボクセルを含む画像要素から構成されるＮ次元画像断層ボリュームと、ｉｉ）該ボリュームを横切り前記（Ｎ−ｋ）次元投影超平面への少なくとも１つの空間投影方向を受信するステップと；
受信した前記断層ボリューム及び前記少なくとも１つの空間投影方向から投影画像を形成するステップと；
前記空間投影方向に対して垂直な（Ｎ−ｋ）次元投影超平面又は部分空間における少なくとも第１及び第２の画像要素について、ｗ（ｒ）＝ｆ［ｅ（ｒ）］に従って複数の要素の重みを計算するステップであって、ここでｆは前記重みの整形を決定するための関数であり、ｅ（ｒ）はボクセルｒについてのエッジ測定であり、第１の画像要素の重みは、第２の画像要素の重みよりも大きく、前記重みは、前記少なくとも２つの画像要素における各画像情報量についての指標を与える、計算するステップと；
【数１】
2016522071.tif 000001
に従って、重み付けされた投影演算を前記Ｎ次元画像ボリュームに亘って適用するとともに前記空間投影方向に沿って適用し、ここでｘ及びｙは前記断層ボリュームの画像スライスの面内の座標であり、ｚは前記画像スライスの貫通面の座標であり、Ｎは前記断層ボリューム内で再構成されたスライスの数であり、ｗ’は重み付け関数であり、Ｔは前記断層ボリュームであり、それによって、少なくとも第１及び第２の画像要素を前記投影超平面の対応する投影画像要素に投影するするステップであって、前記重みは、それぞれの要素について前記重み付けされた投影演算に適用される、投影するステップと；を含み、
前記重み付けされた投影演算は、前記ボリュームを横切る順方向投影を含む、
マンモグラフィ撮像システム。
【請求項２】
前記重みを計算するステップは、前記少なくとも２つの画像要素での勾配の大きさを計算する、又は前記少なくとも２つの画像要素込みの５〜１０ボクセルを含むそれぞれの近傍における画像要素の勾配の大きさを計算するステップを含む、
請求項１に記載のマンモグラフィ撮像システム。
【請求項３】
前記勾配の大きさの測定は、エッジ測定を確立することを含む、
請求項２に記載のマンモグラフィ撮像システム。
【請求項４】
前記勾配の大きさの測定は、ソーベルフィルタを適用することを含む、
請求項３に記載のマンモグラフィ撮像システム。
【請求項５】
前記重みを計算するステップは、前記少なくとも２つの画像要素のそれぞれの近傍におけるコンピュータ支援設計のテンプレートマッチングを含む、
請求項１に記載のマンモグラフィ撮像システム。
【請求項６】
前記重みを計算するステップは、前記重み付けされた投影演算の開始前に全画像ボリュームＴに亘って実質的に実行される、
請求項１に記載のマンモグラフィ撮像システム。
【請求項７】
前記重みを計算するステップは、前記重み付けされた投影演算が前記投影方向に前記ボリュームを横切って進む際に、実行される、
請求項１に記載のマンモグラフィ撮像システム。
【請求項８】
前記画像ボリュームは、トモシンセシス・ボリュームであり、前記投影画像は、合成マンモグラムである、
請求項１に記載のマンモグラフィ撮像システム。
【請求項９】
前記画像ボリュームは、動的４Ｄボリュームであり、前記重みを計算するステップは、時間的及び空間的な勾配成分の両方を計算するステップを含み、前記投影超平面は、動的な２Ｄ投影図に対応する、
請求項１に記載のマンモグラフィ撮像システム。
【請求項１０】
処理装置によって実行されたときに、（Ｎ−ｋ）次元投影超平面又は部分空間において（Ｎ−ｋ，ｋ≧１及びｋ＝Ｎ−２，Ｎ＝３又は４）次元投影画像を形成するコンピュータ実装型断層画像処理方法を実行するように構成された非一時的なコンピュータ可読媒体であって、前記方法は：
ｉ）撮像システムによって取得された個々のボクセルを含む画像要素から構成されるＮ次元画像断層ボリュームと、ｉｉ）該ボリュームを横切り前記（Ｎ−ｋ）次元投影超平面への少なくとも１つの空間投影方向を受信するステップと；
受信した前記断層ボリューム及び前記少なくとも１つの空間投影方向から投影画像を形成するステップと；
前記空間投影方向に対して垂直な（Ｎ−ｋ）次元投影超平面又は部分空間における少なくとも第１及び第２の画像要素について、ｗ（ｒ）＝ｆ［ｅ（ｒ）］に従って複数の要素の重みを計算するステップであって、ここでｆは前記重みの整形を決定するための関数であり、ｅ（ｒ）はボクセルｒについてのエッジ測定であり、第１の画像要素の重みは、第２の画像要素の重みよりも大きく、前記重みは、少なくとも２つの画像要素における各画像情報量についての指標を与える、計算するステップと；
【数２】
2016522071.tif 000002
に従って、重み付けされた投影演算を前記Ｎ次元画像ボリュームに亘って適用するとともに前記空間投影方向に沿って適用し、ここでｘ及びｙは前記断層ボリュームの画像スライスの面内の座標であり、ｚは前記画像スライスの貫通面の座標であり、Ｎは前記断層ボリューム内で再構成されたスライスの数であり、ｗ’は重み付け関数であり、Ｔは前記断層ボリュームであり、それによって、少なくとも第１及び第２の画像要素を前記投影超平面の投影画像要素のそれぞれに投影するするステップであって、前記重みは、各対応する要素について前記重み付けされた投影演算に適用される、投影するステップと；を含み、
前記重み付けされた投影演算は、前記ボリュームを横切る順方向投影を含む、
非一次的なコンピュータ可読媒体。
【請求項１１】
前記重みを計算するステップは、前記少なくとも２つの画像要素での勾配の大きさを計算する、又は前記少なくとも２つの画像要素込みの５〜１０ボクセルを含むそれぞれの近傍における画像要素の勾配の大きさを計算するステップを含む、
請求項１０に記載の非一次的なコンピュータ可読媒体。
【請求項１２】
前記勾配の大きさの測定は、エッジ測定を確立することを含む、
請求項１１に記載の非一次的なコンピュータ可読媒体。
【請求項１３】
前記勾配の大きさの測定は、ソーベルフィルタを適用することを含む、
請求項１２に記載の非一次的なコンピュータ可読媒体。
【請求項１４】
前記重みを計算するステップは、前記少なくとも２つの画像要素のそれぞれの近傍におけるコンピュータ支援設計のテンプレートマッチングを含む、
請求項１０に記載の非一次的なコンピュータ可読媒体。
【請求項１５】
前記重みを計算するステップは、前記重み付けされた投影演算の開始前に全画像ボリュームに亘って実質的に実行される、
請求項１０に記載の非一次的なコンピュータ可読媒体。
【請求項１６】
前記重みを計算するステップは、前記重み付けされた投影演算が前記投影方向に前記ボリュームを横切って進む際に、実行される、
請求項１０に記載の非一次的なコンピュータ可読媒体。
【請求項１７】
前記画像ボリュームは、トモシンセシス・ボリュームであり、前記投影画像は、合成マンモグラムである、
請求項１０に記載の非一次的なコンピュータ可読媒体。
【請求項１８】
前記画像ボリュームは、動的４Ｄボリュームであり、前記重みを計算するステップは、時間的及び空間的な勾配成分の両方を計算するステップを含み、前記投影超平面は、動的な２Ｄ投影図に対応する、
請求項１０に記載の非一次的なコンピュータ可読媒体。
【請求項１９】
（Ｎ−ｋ）次元投影超平面又は部分空間において（Ｎ−ｋ，ｋ≧１及びｋ＝Ｎ−２，Ｎ＝３又は４）次元投影画像を形成するコンピュータ実装型断層画像処理方法を実行するようにプログラムされた少なくとも１つのコンピュータプロセッサを含むマンモグラフィ撮像システムであって、前記方法は：
ｉ）撮像システムによって取得された個々のボクセルを含む画像要素から構成されるＮ次元画像断層ボリュームと、ｉｉ）該ボリュームを横切り前記（Ｎ−ｋ）次元投影超平面への少なくとも１つの空間投影方向を受信するステップと；
受信した前記断層ボリューム及び前記少なくとも１つの空間投影方向から投影画像を形成するステップと；
前記空間投影方向に対して垂直な（Ｎ−ｋ）次元投影超平面又は部分空間における少なくとも第１及び第２の画像要素について、ｗ（ｒ）＝ｆ［ｅ（ｒ）］に従って複数の要素の重みを計算するステップであって、ここでｆは前記重みの整形を決定するための関数であり、ｅ（ｒ）はボクセルｒについてのエッジ測定であり、第１の画像要素の重みは、第２の画像要素の重みよりも大きく、前記重みは、前記少なくとも２つの画像要素における各画像情報量についての指標を与える、計算するステップと；
【数３】
2016522071.tif 000003
に従って、重み付けされた投影演算を前記Ｎ次元画像ボリュームに亘って適用するとともに前記空間投影方向に沿って適用し、ここでｘ及びｙは前記断層ボリュームの画像スライスの面内の座標であり、ｚは前記画像スライスの貫通面の座標であり、Ｎは前記断層ボリューム内で再構成されたスライスの数であり、ｗ’は重み付け関数であり、Ｔは前記断層ボリュームであり、それによって、少なくとも第１及び第２の画像要素を前記投影超平面の対応する投影画像要素に投影するするステップであって、前記重みは、それぞれの要素について前記重み付けされた投影演算に適用される、投影するステップと；を含み、
前記重み付けされた投影演算は、前記ボリュームを横切る順方向投影を含み、
前記重みを計算するステップは、前記少なくとも２つの画像要素での勾配の大きさを計算する、又は前記少なくとも２つの画像要素込みの５〜１０ボクセルを含むそれぞれの近傍における画像要素の勾配の大きさを計算するステップを含み、
前記勾配の大きさの測定は、エッジ測定を確立することを含む、
マンモグラフィ撮像システム。
【請求項２０】
前記画像ボリュームは、動的４Ｄボリュームであり、前記重みを計算するステップは、時間的及び空間的な勾配成分の両方を計算するステップを含み、前記投影超平面は、動的な２Ｄ投影図に対応する、
請求項１９に記載のマンモグラフィ撮像システム。